(57)【要約】【課題】表示モードの変更時にユーザが表示したい表示情報を少ない操作手順で起表示することができる表示装置を提供する。【解決手段】表示装置は、複数の表示領域の何れか一つまたは複数にアプリケーションの動作に基づく表示情報を出力する表示制御部を備え、表示制御部は、複数の表示領域に表示された第１表示情報の表示領域の変更操作を受け付けた場合、当該変更操作によって第１表示情報の表示領域に含まれなくなった領域の一部を少なくとも含む領域に当該第１表示情報に関連する第２表示情報を表示することを特徴とする。【選択図】図１
2015064809.tif 000002
【特許請求の範囲】
【請求項１】
複数の表示領域の何れか一つまたは複数にアプリケーションの動作に基づく表示情報を出力する表示制御部を備え、
前記表示制御部は、複数の表示領域に出力された第１表示情報の表示領域の変更操作を受け付けた場合、当該変更操作によって第１表示情報の表示領域に含まれなくなった領域の一部を少なくとも含む領域に当該第１表示情報に関連する第２表示情報を出力する
ことを特徴とする表示装置。
【請求項２】
前記表示制御部は、前記第１表示情報に対応する第１アプリケーションに関連する第２アプリケーションに基づく第２表示情報を出力する
ことを特徴とする請求項１に記載の表示装置。
【請求項３】
前記表示制御部は、過去に前記第１表示情報と同時に表示領域に出力されていた前記第２表示情報に対応する第２アプリケーションを記録し、
前記第１表示情報に対応する第１アプリケーションに関連する前記第２アプリケーションを前記記録に基づいて特定して前記第２表示情報を出力する
ことを特徴とする請求項１に記載の表示装置。
【請求項４】
前記表示制御部は、前記変更操作を受け付けた場合に前記第２表示情報または第２アプリケーションの何れかの選択を促す選択画面を出力し、当該選択画面において選択された第２表示情報を出力する
ことを特徴とする請求項１に記載の表示装置。
【請求項５】
前記第１表示情報および前記第２表示情報は、前記第１表示情報に対応する第１アプリケーションにおける所定処理による結果である
ことを特徴とする請求項１に記載の表示装置。
【請求項６】
前記所定処理は検索処理であって、前記第１表示情報は前記検索処理の第１の検索結果であり、前記第２表示情報は前記検索処理の第２以降の検索結果である
ことを特徴とする請求項５に記載の表示装置。
【請求項７】
前記所定処理は検索処理であって、前記第１表示情報は前記検索処理の第１の検索結果であり、前記第２表示情報は前記検索処理に関連する情報である
ことを特徴とする請求項５に記載の表示装置。
【請求項８】
複数の画面の何れか一つまたは複数にアプリケーションの動作に基づく表示情報を出力し、
複数の画面に出力された第１表示情報の表示領域の変更操作を受け付けた場合、当該変更操作によって第１表示情報の表示領域に含まれなくなった領域の一部を少なくとも含む領域に当該第１表示情報に関連する第２表示情報を出力する
ことを特徴とする表示装置の処理方法。
【請求項９】
表示装置のコンピュータを、
複数の画面の何れか一つまたは複数にアプリケーションの動作に基づく表示情報を出力する手段、
複数の画面に出力された第１表示情報の表示領域の変更操作を受け付けた場合、当該変更操作によって第１表示情報の表示領域に含まれなくなった領域の一部を少なくとも含む領域に当該第１表示情報に関連する第２表示情報を出力する手段
として機能させるためのプログラム。
【発明の詳細な説明】
【技術分野】
【０００１】
本発明は、表示装置、処理方法及びプログラムに関する。
【背景技術】
【０００２】
近年においては、多くの情報を表示できる大きな画面を備えているスマートフォン等の携帯端末装置も多い。また、複数の画面を備え、各画面に異なったアプリケーションの表示情報を出力し、それらを同時に閲覧することができる装置も存在する。特許文献１にはこのような携帯端末装置においてユーザの操作によりアクティブな画面を切り替え、アクティブにした画面において他の画面で起動しているアプリケーションとは別のアプリケーションを利用する技術について記載されている。
これらの複数の画面を備える装置においては、２つの画面を備える場合において各画面に異なるアプリケーションを１つずつ表示（以下、ダブルモードと称する）させて同時に閲覧するだけではなく、１つのアプリケーションによる表示情報を複数の画面に跨って拡大して表示する（以下、フルスクリーンモードと称する）ことができる装置も存在する。このような装置においては、ユーザの操作によりアプリケーションの表示情報の出力の方法をフルスクリーンモードとダブルモードとで切り替えることができる手段が備えられている。
【先行技術文献】
【特許文献】
【０００３】
【特許文献１】特開２００５−２５２９６９号公報
【発明の概要】
【発明が解決しようとする課題】
【０００４】
このような装置において１つのアプリケーションを起動してフルスクリーンモードで表示している状態から２つのアプリケーションを起動させてダブルモードへ切り替える手順を考える。まず、ユーザは切り替え手段によってフルスクリーンモードからダブルモードへ切り替え、その後一方の画面でアプリケーション一覧を起動し、多数のアプリケーションの中から１つを選択して起動する。２つのアプリケーションをダブルモードで表示させるためにユーザはこれらの操作が必要となる。
ここでフルスクリーンモードからダブルモードへ切り替える理由について検討すると、ユーザがフルスクリーンモードで出力していた表示情報に関連する表示情報を表示して同時に利用したいケースが多いと考えられる。その場合、ユーザは上記のような操作が必要となり煩わしいという問題があった。
【０００５】
そこでこの発明は、上述の課題を解決することのできる表示装置、情報処理方法及びプログラムを提供することを目的としている。
【課題を解決するための手段】
【０００６】
本発明は、複数の表示領域の何れか一つまたは複数にアプリケーションの動作に基づく表示情報を出力する表示制御部を備え、前記表示制御部は、複数の表示領域に出力された第１表示情報の表示領域の変更操作を受け付けた場合、当該変更操作によって第１表示情報の表示領域に含まれなくなった領域の一部を少なくとも含む領域に当該第１表示情報に関連する第２表示情報を出力することを特徴とする表示装置である。
【０００７】
また本発明は、複数の画面の何れか一つまたは複数にアプリケーションの動作に基づく表示情報を出力し、複数の画面に出力された第１表示情報の表示領域の変更操作を受け付けた場合、当該変更操作によって第１表示情報の表示領域に含まれなくなった領域の一部を少なくとも含む領域に当該第１表示情報に関連する第２表示情報を出力することを特徴とする表示装置の処理方法である。
【０００８】
また本発明は、表示装置のコンピュータを、複数の画面の何れか一つまたは複数にアプリケーションの動作に基づく表示情報を出力する手段、複数の画面に出力された第１表示情報の表示領域の変更操作を受け付けた場合、当該変更操作によって第１表示情報の表示領域に含まれなくなった領域の一部を少なくとも含む領域に当該第１表示情報に関連する第２表示情報を出力する手段として機能させるためのプログラムである。
【発明の効果】
【０００９】
本発明によれば、表示情報の表示領域を変更することによって予め出力していた表示情報に関連する所望の表示情報を少ない操作手順で出力することができるという効果が得られる。
【図面の簡単な説明】
【００１０】
【図１】本発明の第一の実施形態による表示装置の最小構成を示す図である。
【図２】本発明の第一の実施形態による表示装置の具体的な構成を示す図である。
【図３】本発明の第一の実施形態による表示装置の一例を示す図である。
【図４】本発明の第一の実施形態による表示装置の表示制御を示す第一の図である。
【図５】本発明の第一の実施形態による表示装置の処理フローを示す第一の図である。
【図６】本発明の第一の実施形態による表示装置の表示制御を示す第二の図である。
【図７】本発明の第一の実施形態による表示装置の処理フローを示す第二の図である。
【図８】本発明の第一の実施形態による表示装置の表示制御を示す第三の図である。
【図９】本発明の第一の実施形態による表示装置の処理フローを示す第三の図である。
【図１０】本発明の第二の実施形態による表示装置の表示制御を示す第一の図である。
【図１１】本発明の第二の実施形態による表示装置の表示制御を示す第二の図である。
【図１２】本発明の第二の実施形態による表示装置の処理フローを示す図である。
【発明を実施するための形態】
【００１１】
＜第一の実施形態＞
以下、本発明の一実施形態による表示装置を図１〜図９を参照して説明する。
図１は第一の実施形態による表示装置の最小構成を示す図である。
この図において、符号１は表示装置を表している。図１に示す通り、表示装置１は少なくとも表示制御部３０を備えている。
表示制御部３０は、複数の表示領域のうち何れか一つまたは複数にアプリケーションの表示情報を出力する機能部である。表示制御部３０は、複数の表示領域に表示された第１表示情報の表示領域の変更操作を受け付けた場合、当該変更操作によって第１表示情報の表示領域に含まれなくなった領域の少なくとも一部を含む領域に当該第１表示情報に関連する第２表示情報を表示する。
【００１２】
図２は第一の実施形態による表示装置の具体的な構成を示す図である。なお、図１と同じ機能部には同じ符号を付して説明する。
図２に示す通り、表示装置１は、表示部１０、入力部２０、表示制御部３０、表示モード変更検出部４０、アプリケーション制御部５０、記憶部６０を備えている。
表示部１０は、具体的には表示装置１の画面である。当該表示部１０は複数の表示領域を有する。それら複数の表示領域は例えば１つの画面における分割された各表示領域それぞれを示す。またはそれら複数の表示領域は、対応する複数の画面それぞれを示すものであってもよい。本実施形態において表示部１０は、表示装置１に設けられた２つの画面であるとする。また、本実施形態において表示領域とは、２つの画面のそれぞれであり、複数の表示領域とは画面が２つあることをいうものとする。
入力部２０は、ユーザがキーボードやマウス又はタッチパネルへの接触などユーザの操作に応じて、ユーザからの各種の指令、その他必要な情報などを取得する。
表示モード変更検出部４０は、入力部２０が取得したユーザの操作情報から表示情報の表示領域を変更する表示モード変更操作を検出し表示制御部３０に表示モード変更の指示情報を出力する。本実施形態における表示モードにはアプリケーションの表示情報を複数の表示領域に跨って拡大して出力するフルスクリーンモードとアプリケーションの表示情報を１つの表示領域のみに出力するダブルモードとが存在する。
アプリケーション制御部５０は、入力部２０が取得したユーザからの指示情報に基づいて新たにアプリケーションを起動及び停止を行う。
記憶部６０は、ユーザの操作によりフルスクリーンモードで出力した第１表示情報の出力中に同時に表示した第２表示情報の識別子などを記憶するデータベースである。
表示制御部３０、表示モード変更検出部４０、アプリケーション制御部５０は表示装置１に備わるＣＰＵ（Ｃｅｎｔｒａｌ  Ｐｒｏｃｅｓｓｉｎｇ  Ｕｎｉｔ）がプログラムを実行することにより備わる機能である。
【００１３】
図３は本発明の第一の実施形態による表示装置の一例を示す図である。
第一の実施形態による表示装置１の代表的な例は図３に示すようなスマートフォンである。
図３が示す通り表示装置１は、２つの画面、表示部１０ａ、表示部１０ｂを備え、表示部１０ａと同じ面の下端部にハードウェアの固定キー１１ａ、固定キー１１ｂ、固定キー１１ｃを備えている。また、表示部１０ａ、表示部１０ｂが備えられたそれぞれの筐体はヒンジ部１２で連結されており図３に示すようにヒンジ部１２を中心に表示部１０ａ、表示部１０ｂを備える筐体を回転させて折り畳むことができる。
以下において図３で示すようなスマートフォンを例として実施形態の説明を行う。表示部１０ａをＡ画面とし、表示部１０ｂをＢ画面とする。本実施形態においては例としてユーザが固定キー１１ａを押下すると第１アプリケーションの表示モードがダブルモードとなり、固定キー１１ｂを押下するとフルスクリーンモードとなるものとする。
なお、本発明に直接関係しない構成については記載を省略する。
【００１４】
図４は本実施形態による表示装置の表示制御を示す第一の図である。
図４を用いて表示制御部３０が複数の表示領域に表示された第１表示情報の表示領域の変更操作を受け付けた場合、当該変更操作によって第１表示情報が含まれなくなった領域の一部を少なくとも含む領域に第１アプリケーションに関連する第２アプリケーションに基づく第２表示情報を表示する動作を説明する。
第一の例を図４（ａ１）、（ａ２）を用いて説明する。図４（ａ１）は、テレビアプリケーションを起動しその表示情報をフルスクリーンモードで表示していることを示す図である。このときフルスクリーンモードで表示したテレビアプリケーションを第１アプリケーションとし、テレビアプリケーションの表示情報を第１表示情報とする。
図４（ａ２）のＡ画面に表示されているのは第１アプリケーションであるテレビアプリケーションに基づく第１表示情報である。一方、（ａ２）のＢ画面に表示されているのはＳＮＳ（Ｓｏｃｉａｌ  Ｎｅｔｗｏｒｋｉｎｇ  Ｓｅｒｖｉｃｅ）アプリケーションである。第１表示情報をＡ画面にダブルモードで出力したときにＢ画面に出力される表示情報を第２表示情報、第２表示情報に対応するＳＮＳアプリケーションを第２アプリケーションとする。
（ａ２）のＢ画面のＳＮＳアプリケーションは、テレビアプリケーションと関連するアプリケーションとして予めユーザが設定メニュー等で設定しているものとする。又は、関連するアプリケーションは予めシステム側で定められていてもよい。
ユーザが固定キー１１ａを押下し、表示モードをフルスクリーンモードからダブルモードへ変更すると、表示制御部３０が出力する表示情報は（ａ１）から（ａ２）の状態となる。
ユーザはアプリケーション一覧からＳＮＳアプリケーションを指定して起動するという煩雑な操作を行うことなく、表示モード変更操作を行うだけでＳＮＳアプリケーションを起動し、Ａ画面でテレビを見ながら、その内容に関する感想や情報をＳＮＳに書き込むことができるようになる。
【００１５】
第二の例を図４（ｂ１）、（ｂ２）を用いて説明する。図４（ｂ１）は、メールアプリケーションを起動しその表示情報をフルスクリーンモードで表示していることを示す図である。図４（ａ１）、（ａ２）と同様にユーザが固定キー１１ａを押下し、表示モードをフルスクリーンモードからダブルモードへ変更すると、図４（ｂ２）の状態となる。（ｂ２）ではＡ画面にメールアプリケーションの表示情報（第１表示情報）が表示され、Ｂ画面にメールに添付する画像を提供するギャラリーアプリケーションが起動し画像一覧（第２表示情報）が表示される。図４（ｂ１）、（ｂ２）の例においても第１アプリケーションであるメールアプリケーションに関連するアプリケーションとしてギャラリーアプリケーションが第２アプリケーションとして予め設定されている。ユーザはフルスクリーンモードでメールを作成しながら画像の添付が必要なときに固定キー１１ａを押下するだけでフルスクリーンモードからダブルモードにして一方の画面に画像一覧を表示させることができる。
【００１６】
図５は本実施形態による表示装置の処理フローを示す第一の図である。
図５の処理フローを用いて図４で説明した処理について詳しく説明する。
前提として、テレビアプリケーションに関連するアプリケーションとしてＳＮＳアプリケーションの識別子が記憶部６０に記憶されているものとする。また、本処理フローの説明においてテレビアプリケーションをＡＰＬ１、ＳＮＳアプリケーションをＡＰＬ２とする。
まず、ユーザの指示によりアプリケーション制御部５０がＡＰＬ１を起動する。また、ユーザによる固定キー１１ｂの押下を示す信号を入力部２０が取得し、表示モード変更検出部４０へ出力する。表示モード変更検出部４０は取得した信号から表示モードをフルスクリーンモードとすることを決定し、表示制御部３０へ表示モードを指示する。表示制御部３０はＡＰＬ１の表示情報をＡ画面とＢ画面にフルスクリーンモードで出力する（ステップＳ１）。次に表示モード変更検出部４０は表示モードをダブルモードに変更する指示があるかどうかを検出する。表示モード変更操作を検出しない場合（ステップＳ２＝Ｎｏ）、表示制御部３０はＡＰＬ１をフルスクリーンモードで出力し続ける。入力部２０はユーザによる固定キー１１ａの押下信号を取得すると、その信号を表示モード変更検出部４０に出力する。すると表示モード変更検出部４０は、表示モードをダブルモードへ変更することを決定し（ステップＳ２＝Ｙｅｓ）、ダブルモードを指定する指示情報を表示制御部３０とアプリケーション制御部５０へ出力する。次に表示制御部３０はＡＰＬ１の表示情報をＡ画面だけに出力する。また、アプリケーション制御部５０は、ＡＰＬ１の識別子を用いてＡＰＬ１に関連するＡＰＬ２の識別子を記憶部６０から読み出し、ＡＰＬ２を起動する。またアプリケーション制御部５０はＡＰＬ２の表示情報をＢ画面にダブルモードで表示する旨の指示情報を表示制御部３０へ出力する。表示制御部３０はＡＰＬ２の表示情報をＢ画面にダブルモードで表示する（ステップＳ３）。
【００１７】
図６は本実施形態による表示装置の表示制御を示す第二の図である。
図６を用いて表示制御部３０が、第１アプリケーションに基づく第１表示情報と同時に表示されていた第２表示情報に対応する第２アプリケーションを記録し、第１アプリケーションに関連する第２アプリケーションをその記録に基づいて特定して表示する場合の例について説明する。
図６（ａ３）〜（ａ５）は、この例における第１アプリケーションの初回起動時の動作を示した図である。図６（ａ３）は、テレビアプリケーションを起動しその表示情報をフルスクリーンモードで表示していることを示す図である。図６（ａ４）のＡ画面に表示されているのは第１アプリケーションであるテレビアプリケーションに基づく表示情報である。一方、（ａ４）のＢ画面に表示されているのはアプリケーション一覧である。図６（ａ５）のＡ画面に表示されているのはテレビアプリケーションに基づく表示情報（第１表示情報）である。一方、（ａ５）のＢ画面に表示されているのはＳＮＳアプリケーションに基づく表示情報（第２表示情報）である。
この図においてユーザが固定キー１１ａを押下し、表示モードをフルスクリーンモードからダブルモードへ変更すると、表示情報は図６（ａ３）から（ａ４）の表示状態となる。続いてユーザがアプリケーション一覧からＳＮＳアプリケーションを選択し起動指示を与えると（ａ５）の表示状態となる。
【００１８】
図６（ｂ３）、（ｂ４）は、この例における第１アプリケーションの２回目以降の起動時における動作を示した図である。図６（ｂ３）は、テレビアプリケーションを起動しその表示情報をフルスクリーンモードで表示していることを示す図である。図６（ｂ４）のＡ画面に表示されているのは第１アプリケーションであるテレビアプリケーションに基づく第１表示情報である。一方、（ｂ４）のＢ画面に表示されているのはＳＮＳアプリケーションに基づく第２表示情報である。
Ｂ画面に起動するＳＮＳアプリケーションは、図６（ａ４）でユーザがＳＮＳを選択したために、表示制御部３０がテレビアプリケーションと関連するアプリケーションとして記憶部６０に記録したアプリケーションである。なお、この例では初回起動時に指定したＳＮＳアプリケーションがそのまま「関連するアプリケーション」となっている。しかしアプリケーション制御部５０がＳＮＳアプリケーションを起動した後、ユーザがＳＮＳアプリケーションを終了し、代わりにＷｅｂブラウザを起動したとすると表示制御部３０はＷｅｂブラウザを関連する第２のアプリケーションとして記憶部６０に記録する。
図６（ｂ３）においてユーザが固定キー１１ａを押下し、表示モードをフルスクリーンモードからダブルモードへ変更すると、出力される表示情報は図６（ｂ３）から（ｂ４）の状態となる。
この例においてもユーザは毎回アプリケーション一覧からＳＮＳアプリケーションを指定して起動するという煩雑な操作を行うことなく、表示モード変更操作を行うだけでＳＮＳアプリケーションを起動することができるようになる。また、第一の例と異なり、関連する第２のアプリケーションを固定して設定するのではなく、前回操作に基づいて決定する為、より柔軟に関連する第２のアプリケーションを設定したい場合に適している。
【００１９】
図７は本実施形態による表示装置の処理フローを示す第二の図である。
図７の処理フローを用いて図６で説明した処理について詳しく説明する。
前提条件及びステップＳ２までは図５の処理フローと同じであるので記載を省略する。
入力部２０がユーザによる固定キー１１ａの押下信号を取得すると、表示モード変更検出部４０が表示モードをダブルモードへ変更することを決定し（ステップＳ２＝Ｙｅｓ）、表示モードをダブルモードとする指示情報を表示制御部３０とアプリケーション制御部５０へ出力する。すると表示制御部３０はＡＰＬ１の表示情報をＡ画面だけに出力する。また、アプリケーション制御部５０は、ＡＰＬ１の識別子を用いてＡＰＬ１に関連するＡＰＬ２の識別子が記憶部６０に記録されているかどうかを判定する。ＡＰＬ２の識別子が記録されていない場合（ステップＳ１１＝Ｎｏ）、アプリケーション制御部５０はアプリケーション一覧を起動する。また、アプリケーション制御部５０は、アプリケーション一覧の表示情報をＢ画面にダブルモードで表示する指示情報を表示制御部３０に出力し、表示制御部３０はアプリケーション一覧の表示情報をＢ画面に出力する（ステップＳ１２）。次にユーザによるＡＰＬ２の起動指示を入力部２０が取得し、アプリケーション制御部５０へＡＰＬ２の識別子を出力する。アプリケーション制御部５０はＡＰＬ２を起動し、ＡＰＬ２の表示情報をＢ画面にダブルモードで出力する指示を表示制御部３０に行う。表示制御部３０はＡＰＬ２の表示情報をＢ画面に出力する（ステップＳ１３）。次に表示制御部３０は、ＡＰＬ１に基づく第１表示情報と同時に表示領域に出力した第２表示情報に対応する第２アプリケーションであるＡＰＬ２の識別子をＡＰＬ１に対応付けて記憶部６０に記録する（ステップＳ１５）。
ステップＳ１１の判定においてＡＰＬ１に関連するＡＰＬ２が存在する場合（ステップＳ１１＝Ｙｅｓ）、アプリケーション制御部５０は、前回のＡＰＬ１起動中にＢ画面で最後に起動したアプリケーションであるＡＰＬ２を起動し（ステップＳ１４）、ＡＰＬ２の表示情報をＢ画面にダブルモードで出力する指示を表示制御部３０に行う。表示制御部３０はＡＰＬ２の表示情報をＢ画面に出力する。そして、表示制御部３０は、ＡＰＬ２の識別子をＡＰＬ１に対応付けて記憶部６０に記録する（ステップＳ１５）。
次に表示制御部３０はＢ画面において新たにＡＰＬ３を起動したかどうかを判定する。新たなＡＰＬ３を起動しない場合（ステップＳ１６＝Ｎｏ）は本処理フローを終了する。ＡＰＬ２の起動後に別の新たなＡＰＬ３のＢ画面における起動指示を入力部２０が取得した場合、アプリケーション制御部５０はＡＰＬ３を起動し、表示制御部３０はＡＰＬ３の表示情報をＢ画面に出力する。そして表示制御部３０は、ＡＰＬ３を第１アプリケーションに関連する第２アプリケーションであるとしてＡＰＬ３の識別子をＡＰＬ１に対応付けて記憶部６０に記録する（ステップＳ１７）。以上で本処理フローを終了する。
【００２０】
図８は本実施形態による表示装置の表示制御を示す第三の図である。
図８を用いて表示制御部３０が、第１表示情報に関連する第２表示情報または第２アプリケーションの何れかの選択を促す選択画面を出力し、当該選択画面において選択された第２表示情報を表示する場合の例について説明する。
図８（ａ６）は、テレビアプリケーションを起動しその表示情報をフルスクリーンモードで表示していることを示す図である。図８（ａ７）のＡ画面に表示されているのは第１アプリケーションであるテレビアプリケーションに基づく表示情報である。一方、（ａ７）のＢ画面に表示されているのはＢ画面に表示する表示情報に対応するアプリケーションの選択を促す選択画面である。この選択画面はアプリケーション一覧でもよいし、過去にテレビアプリケーションの起動中にダブルモードで起動して同時に利用したアプリケーションの一覧でもよい。あるいはテレビアプリケーションの初回起動時にはアプリケーション一覧を表示し、２回目の起動以降には過去の起動実績に基づいて候補となるアプリケーションを表示するようにしてもよい。図８（ａ８）のＡ画面に表示されているのはテレビアプリケーションに基づく表示情報（第１表示情報）である。一方、（ａ８）のＢ画面に表示されているのはＳＮＳアプリケーションに基づく表示情報（第２表示情報）である。
この図においてユーザが固定キー１１ａを押下し、表示モードをフルスクリーンモードからダブルモードへ変更すると、表示情報は図８（ａ６）から（ａ７）の状態となり、（ａ７）でユーザがＳＮＳアプリケーションを選択し起動指示を与えることによって（ａ８）の状態となる。
この例によれば、前回までのＢ画面における第２アプリケーションの起動実績に基づく選択肢から第２表示情報を選択することができる。例えば利用シーンに応じて第２表示情報に対応するアプリケーションを変更したい場合などに便利である。
【００２１】
図９は本実施形態による表示装置の処理フローを示す第三の図である。
図９の処理フローを用いて図８で説明した処理について詳しく説明する。
前提条件として、図５、７で説明した条件に加え、記憶部６０には過去にＡＰＬ１の起動中に同時に起動して使用した一つ又は複数のＡＰＬ２の識別子が記録されているものとする。また、記憶部６０には各ＡＰＬ２がＡＰＬ１と同時に起動した最後の日時、所定期間内にＡＰＬ２がＡＰＬ１と同時に起動した回数がＡＰＬ１に対応付けて記録されていてもよい。ステップＳ２までは図５の処理フローと同じであるので記載を省略する。
入力部２０がユーザによる固定キー１１ａの押下信号を取得すると、表示モード変更検出部４０が表示モードをダブルモードへ変更することを決定し（ステップＳ２＝Ｙｅｓ）、表示モードをダブルモードとする指示情報を表示制御部３０とアプリケーション制御部５０へ出力する。すると表示制御部３０はＡＰＬ１をＡ画面だけに出力する。また、アプリケーション制御部５０は、ＡＰＬ１の識別子を用いてＡＰＬ１に関連する一つ又は複数のＡＰＬ２の識別子を記憶部６０から取得する。このときアプリケーション制御部５０は、記録されている全ての識別子を取得してもよい。また、所定期間内に起動された実績のあるＡＰＬ２の識別子だけを取得してもよい。あるいは、所定期間内にＡＰＬ１と同時に起動したＡＰＬ２のうち同時に起動した回数の多い順に所定の数のだけＡＰＬ２の識別子を取得してもよい。
【００２２】
そして、アプリケーション制御部５０は、取得した一つ又は複数のＡＰＬ２の識別子に基づいてアプリケーション候補一覧を起動する。またアプリケーション制御部５０は、アプリケーション候補一覧を表示する指示情報を表示制御部３０へ出力する（ステップＳ２１）。次にユーザによるＡＰＬ２の起動指示を入力部２０が取得し、アプリケーション制御部５０を通じてＡＰＬ２を起動し、表示制御部３０はＡＰＬ２の表示情報をＢ画面に出力する（ステップＳ２２）。最後に表示制御部３０は、ＡＰＬ２の識別子をＡＰＬ１に対応付けて記憶部６０に記録する（ステップＳ２３）。このとき記憶部６０がＡＰＬ２を最後に起動した日時や所定期間内に起動した回数を記録していれば、これらの値を更新する。
なお、ＡＰＬ１の初回起動時については図７の処理フローと同様に予めＯＳ（Ｏｐｅｒａｔｉｎｇ  Ｓｙｓｔｅｍ）等が備えるアプリケーション一覧を表示すればよい。また、アプリケーション候補一覧に無いアプリケーションをユーザが起動したときは、そのアプリケーションの識別子を関連する第２アプリケーションとして表示制御部３０が記憶部６０に新たに記録する。
【００２３】
以上、第一の実施形態として３つの例を用いて表示モードの変更による第１表示情報に対応するアプリケーションに関連する第２アプリケーションの第２表示情報をダブルモードで表示する方法を説明してきた。これらの３つの例は第１表示情報に対応する第１アプリケーションによって使い分けることが可能である。例えば、メールアプリケーションと同時にダブルモードで表示する第２表示情報が添付用の画像一覧に限られるのであれば１つ目の例（図４）のような制御を用いればよい。また、テレビアプリケーションを用いてある番組を見ている間はＳＮＳを利用し他のテレビ視聴者の意見も参考にしながらテレビを鑑賞し、別の番組を見るときには一人でＷｅｂ検索を行いながらテレビを鑑賞するような場合は２つ目の例（図６）の制御を行えばよい。例えばＳＮＳを利用する番組が放送されている時間帯においては、普段はテレビをフルスクリーンモードにしてＳＮＳを利用するときだけダブルモードにすることが考えられる。そのような場合でも２つ目の例によれば前回起動したＡＰＬ２（ＳＮＳアプリケーション）を記憶しているので、ユーザはＳＮＳアプリケーションを初回に選択すればその番組の放送時間内に何度表示モードを切り替えてもＳＮＳアプリケーションを起動することができる。そしてＷｅｂ検索を行いながら鑑賞したい番組が始まったならば、ユーザは初回ダブルモードにしたときに起動するＳＮＳアプリケーションを終了させ代わりにＷｅｂブラウザを起動すればよい。そうするとユーザが次回ダブルモードにしたときからはＷｅｂブラウザが起動するようになる。よって普段はフルスクリーンモードでテレビを鑑賞し、検索が必要な時だけダブルモードにしてもユーザは煩雑な操作を必要とせずＷｅｂ検索を行うことができる。あるいは、テレビを見ながらＳＮＳとＷｅｂ検索を同じぐらいの頻度で使用するならば３つ目の例（図８）の制御を行えばよい。そうするとユーザがフルスクリーンモードからダブルモードにする度にＳＮＳアプリケーションとＷｅｂブラウザとをＡＰＬ２の候補として表示させるようにすることができ、ユーザは毎回アプリケーション一覧からそれらのアプケーションを探し出して起動するという煩雑な操作を行わなくて済む。
【００２４】
＜第二の実施形態＞
以下、本発明の第二の実施形態による表示装置を図１０〜１２を参照して説明する。
第二の実施形態において表示装置１の構成は第一の実施形態と同じである。本実施形態では、表示制御部３０は表示モードの変更に伴って、第１アプリケーションに関連する第２アプリケーションに基づく表示情報を表示するのではなく、第１アプリケーションにおいて第１表示情報に関連する第２表示情報を表示する。
【００２５】
図１０は本実施形態による表示装置の表示制御を示す第一の図である。
図１０を用いて表示制御部３０がユーザの表示モード変更操作に応じて表示モードを変更したときに第１アプリケーションにおける検索処理の第１の検索結果を第１表示情報としてＡ画面に表示し、第２以降の検索結果を第２表示情報としてＢ画面に表示する表示モード（同列情報表示）について説明する。
図１０（ｃ１）は、電車の乗り換え検索アプリケーションを起動し、その第１検索結果（１番目に表示される検索結果）をフルスクリーンモードで表示していることを示す図である。
図１０（ｃ２）のＡ画面に表示されているのは第１アプリケーションである乗り換え検索アプリケーションにおける検索処理の複数の検索結果のうち第１検索結果である。一方、Ｂ画面に表示されているのは同じ乗り換え検索アプリケーションにおける検索結果のうち、Ａ画面に表示された第１検索結果に続く第２検索結果である。
本実施例においては、ユーザが固定キー１１ｃを押下し、表示モードを変更すると、表示制御部３０が出力する表示情報は図１０の（ｃ１）から（ｃ２）の状態となる。なお、第一の実施形態と異なり本実施形態においては表示モード変更しても第１アプリケーションの表示情報はフルスクリーンモードで表示されたままであって、第１アプリケーションにおける表示情報がＡ画面とＢ画面に分割して表示される。
ユーザは現在表示されている検索結果をＡ画面に表示したまま、別途乗り換え検索アプリケーションを起動し同じ条件で検索を行ってその第２検索結果をＢ画面に表示するという煩雑な手順を行うことなく、表示モード変更操作を行うだけで第１検索結果と第２検索結果とをＡ、Ｂ画面のそれぞれに表示させることができる。
【００２６】
図１１は本実施形態による表示装置の表示制御を示す第二の図である。
図１１を用いて表示制御部３０がユーザの表示モード変更操作に応じて表示モードを変更したときに第１アプリケーションにおける検索処理の第１検索結果をＡ画面に表示し、第１検索結果に関連する情報を第２表示情報としてＢ画面に表示する表示モード（関連情報表示）について説明する。
図１１（ｃ３）は、電車の乗り換え検索アプリケーションを起動し、その第１検索結果をフルスクリーンモードで表示していることを示す図である。
図１１（ｃ４）のＡ画面に表示されているのは第１アプリケーションである乗り換え検索アプリケーションの第１検索結果である。一方、Ｂ画面に表示されているのは第１検索結果における到着駅周辺の地図情報である。この例の場合は第１検索結果に関連する情報として到着駅周辺の地図情報を表示したが、どの様な情報を関連情報とするかは各アプリケーションによって定まっているものとする。また、乗り換え検索アプリケーションは、第１検索結果の表示情報における所定の位置に出力した地図情報表示ボタンをユーザが押下すると到着駅付近の地図情報を表示する機能を備えているものとする。
ユーザが固定キー１１ｃを２回連続して押下（ダブルクリック）し、表示モードを変更すると、表示制御部３０が出力する表示情報は図１１（ｃ３）から（ｃ４）の状態となる。
ユーザは、現在表示されている検索結果をＡ画面に表示したまま、別途乗り換え検索アプリケーションを起動し同じ条件で検索を行ってから地図情報表示ボタンを押下するという煩雑な手順を行うことなく、表示モード変更操作を行うだけで第１検索結果と到着駅周辺の地図情報とをＡ、Ｂ画面のそれぞれに表示させることができる。
【００２７】
図１２は本実施形態による表示装置の処理フローを示す図である。
図１２の処理フローを用いて図１０，１１で説明した処理について詳しく説明する。
前提として、第１アプリケーション（ＡＰＬ１）を乗り換え検索アプリケーションとする。また、表示モード変更操作の一例として固定キー１１ｃを１回押下すると表示モードが切り替わり、そのときに図１０で説明した動作となる。また、固定キー１１ｃを２回連続して押下すると図１１で説明した動作となるものとする。なお、ＡＰＬ１は固定キー１１ｃの押下によって第１の表示情報をＡ画面とＢ画面に跨って拡大して表示した状態からＡ画面に表示した表示情報と関連する表示情報をＢ画面に出力する機能を備えたアプリケーションであるものとする。
【００２８】
まず、ユーザの起動指示によりアプリケーション制御部５０がＡＰＬ１を起動する。また、ユーザの固定キー１１ｂの押下により表示モード変更検出部４０が表示モードをフルスクリーンモードとすることを決定し、表示制御部３０へ表示モードを指示する。そして表示制御部３０はＡＰＬ１の表示情報をＡ画面とＢ画面にフルスクリーンモードで出力する（ステップＳ３１）。次にユーザの操作を入力部２０が取得し、ＡＰＬ１が検索処理を実行し、表示制御部３０がその第１検索結果をＡ画面とＢ画面に跨って拡大して表示する（ステップＳ３２）。次に表示モード変更検出部４０が表示モード変更操作の検出を開始する。表示モードの変更を検出しない場合（ステップＳ３３＝Ｎｏ）、表示制御部３０は表示モードの変更を検出し続ける。また、ユーザによる固定キー１１ｃの押下信号を入力部２０が取得すると、表示モード変更検出部４０は表示モードを変更することを決定する（ステップＳ２＝Ｙｅｓ）。
【００２９】
続いて入力部２０が取得した固定キー１１ｃの連続押下回数によって、表示モード変更検出部４０は変更後の表示モードを判定する（ステップＳ３４）。入力部２０が取得した押下回数が１回のとき、表示モード変更検出部４０は変更後の表示モードが「同列情報表示」であると判定する。押下回数が２回のとき、表示モード変更検出部４０は変更後の表示モードが「関連情報表示」であると判定する。表示モード変更検出部４０は判定後の表示モードを示す情報をアプリケーション制御部５０へ出力する。そしてアプリケーション制御部５０は取得した表示モードを示す情報に基づいて表示モードの変更をＡＰＬ１に指示する。表示モードが「同列情報表示」であるときＡＰＬ１は第１の検索結果をＡ画面に表示し、第２の検索結果をＢ画面に表示する（ステップＳ３５）。表示モードが「関連情報表示」であるときＡＰＬ１は第１の検索結果をＡ画面に表示し、予め第１の検索結果に関連する情報として定められた到着駅周辺の地図情報を生成しＢ画面に表示する（ステップＳ３６）。以上で本処理フローを終了する。
【００３０】
なお、本実施形態において固定キー１１ａが押下されると第一の実施形態で説明したようにＡＰＬ１の表示情報はダブルモードで表示され、関連する第２アプリケーション（ＡＰＬ２）が起動する。従って本実施形態は第一の実施形態と組み合わせて利用することが可能である。例えば乗り換え検索アプリケーションをＡＰＬ１とし、ＷｅｂブラウザをＡＰＬ２とする。ユーザが固定キー１１ｃを押下した場合にはその連続押下回数に応じて図１０，１１で説明したように同列情報又は関連情報をＢ画面に表示する。このときＡＰＬ１の表示モードはフルスクリーンモードのままである。また、ユーザが固定キー１１ａを押下した時には表示モードをダブルモードに変更し、Ｂ画面にはＷｅｂブラウザを表示する。すると乗り換え検索アプリケーションが提供しない情報について検索したり、関連情報表示の地図情報で見つけた宿泊施設のホームページにアクセスし宿泊予約を行うといった場合により少ない操作手順で目的を達成することができる。
なお、上記の例では検索処理を例としたがこれに限定せず所定処理とすることが可能である。例えば、Ｗｅｂページを取得する処理が考えられる。Ｗｅｂブラウザを用いてＷｅｂページを閲覧する場合にそのＷｅｂページを取得する処理を行った結果として表示されたＷｅｂページにおいて表示モード変更を行うと、ＷｅｂページをＡ画面とＢ画面に拡大して表示している場合には表示しきれなかった部分がＢ画面に出力される（同列情報表示）。あるいは、Ｗｅｂページ中、リンクが張ってある文字情報にフォーカスを移動させ表示モード変更を行うと、Ｗｅｂブラウザは新しいタブを生成してＢ画面に表示する。そしてＷｅｂブラウザはリンク先のＷｅｂページを取得して、Ｂ画面に表示する（関連情報表示）。
【００３１】
なお、上述の表示装置１は内部にコンピュータを有している。そして、上述した表示装置１の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００３２】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００３３】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。例えば、表示領域の数は２つでなくてもよい。また、表示モードの変更は固定キー１１の押下ではなく、表示装置１を展開した状態と折り畳んだ状態とで切り替えてもよい。
【符号の説明】
【００３４】
１・・・表示装置
１０・・・表示部
２０・・・入力部
３０・・・表示制御部
４０・・・表示モード変更検出部
５０・・・アプリケーション制御部
６０・・・記憶部
【図１】
2015064809.tif 000003
【図２】
2015064809.tif 000004
【図３】
2015064809.tif 000005
【図４】
2015064809.tif 000006
【図５】
2015064809.tif 000007
【図６】
2015064809.tif 000008
【図７】
2015064809.tif 000009
【図８】
2015064809.tif 000010
【図９】
2015064809.tif 000011
【図１０】
2015064809.tif 000012
【図１１】
2015064809.tif 000013
【図１２】
2015064809.tif 000014